(57)【要約】      （修正有）【課題】スマートホンをつけたまま、自由に両手が使えるようにする。【解決手段】スマートホン本体下部の保持部を備えるホルダによってスマートホンと一体化し、腕に装着できるリストバンドをホルダに取り付けて一体化し、リストバンドで、スマートホンを腕に装着させる。自転車などで、両手がふさがっていてもＧＰＳ誘導できる。【選択図】図６３
2015002360.tif 000002
【特許請求の範囲】
【請求項１】
スマホを手首付近に装着し、画面操作を片手で行う等、自転車に乗るなど両手がふさがっていてもＧＰＳなどを使用し得ることを特徴とする腕スマホ。
【発明の詳細な説明】
【技術分野】
【０００１】
本発明は腕に携帯するスマートフォン（以下スマホと略す）等の技術分野である。
【背景技術】
【０００２】
本発明は、スマホ等に関する画面操作に関する技術である。  
【発明の概要】
【発明が解決しようとする課題】
【０００３】
公知のスマホは手に持つので画面操作がしにくく、その上片手しか使えないし、カバン等に入れておくとその取り出しに時間がかかった。
【課題を解決するための手段】
【０００４】
本発明によるスマホは、画面操作がし易く腕に装着して携帯し、自由に両手が使え、そのため手首が自由に折り曲がり得るように、且つ前記装着状態でスマホ機能を成すことであり、第２は装着携帯状態のスマホを実行できるように画面部分がほぼ直角になるようにし得ることである。
【発明の効果】
【０００５】
本発明による第１の効果は、スマホの画面操作がし易いことである（図６２）。第２の効果は、スマホを腕に装着するので、その腕に装着した状態のままでスマホ画面が見られ、またスマホを腕に装着した状態でその腕による手作業が可能であり、自転車に乗った場合、ハンドルを腕で握ったまま、ＧＰＳ機能で自分の位置が判ることである（図６３）。
【０００６】
本発明の第３の効果は、スマホを腕に装着するので、マナーモードの微弱な振動でも着信を判別できるので、相手からの電話を切らすことなく、且つ迅速に応答でき、女性の場合ハンドバッグを探している間に相手が切れることがなくなり、更にバイブレータの駆動電流を少なくでき、バッテリの消費を軽減することができる。
【０００７】
本発明による第４の効果は、スマホを心臓から一番遠く離れた腕（特に右腕がよい）に装着するので、スマホからの心臓やペースメーカ等への電磁波等による影響を軽減することができる。
本発明による第５の効果は、携帯電話とホルダとの間に放射能遮蔽板を介在させることにより、スマホを放射能測定器として使用した場合、被曝を防止することができる。
本発明による第６の効果は、リストバンドや腕輪あるいはリストベルトにファッション性を持たせることができるため、女性など好んで装着することができる。
【図面の簡単な説明】
【０００８】
【図１】本発明の実施例を示す斜視図である。
【図２】同実施例の上面図である。
【図３】同実施例の横断面図である。
【図４】同実施例の図３の点線部分における拡大図である。
【図５】同実施例の図１の携帯ホルダに携帯電話を搭載した腕携帯電話装置の正面図である。
【図６】本発明の第２の実施例を示す斜視図である。
【図７】同実施例の横断面図である。
【図８】同実施例の図６の携帯ホルダに携帯電話を搭載した腕携帯電話装置の横面図である。
【図９】同実施例の図６の携帯ホルダに携帯電話を搭載した腕携帯電話装置の上面図である。
【図１０】本発明の第３の実施例を示す斜視図である。
【図１１】同実施例の図１０の携帯ホルダに携帯電話を上から結合した腕携帯電話装置の横面図である。
【図１２】同実施例の図１１の点線部分における拡大図である。
【図１３】本発明の第４の実施例を示す斜視図である。
【図１４】本発明の第５の実施例を示す斜視図である。
【図１５】同実施例の側面図である。
【図１６】同実施例の横断面図である。
【図１７】本発明の第６の実施例を示す斜視図である。
【図１８】同実施例の右側面図および左側面図である。
【図１９】同実施例の横断面図である
【図２０】本発明の第７の実施例を示す斜視図である。
【図２１】同実施例の側面図である。
【図２２】同実施例の横断面図である。
【図２３】本発明の第８の実施例を示す斜視図である。
【図２４】同実施例の側面図である。
【図２５】同実施例の横断面図である。
【図２６】本発明の第９の実施例を示す斜視図である。
【図２７】同実施例の側面図である。
【図２８】同実施例の横断面図である。
【図２９】本発明の第１０の実施例を示す斜視図である。
【図３０】同実施例の上面図である。
【図３１】同実施例の横断面図である。
【図３２】同実施例の図３１の点線部分における拡大図である。
【図３３】同実施例の図２９の携帯ホルダに携帯電話を結合した腕携帯電話装置の正面図である。
【図３４】本発明の第１１の実施例を示す側面図である。
【図３５】本発明の第１２の実施例を示す斜視図である。
【図３６】同実施例のホルダ部分の上面図である。
【図３７】同実施例のホルダに携帯電話を保持した側面図である。
【図３８】本発明の第１３の実施例を示す斜視図である。
【図３９】同実施例のホルダに携帯電話を保持した正面図である。
【図４０】本発明の第１４の実施例を示す斜視図である。
【図４１】同実施例のホルダに携帯電話を保持した正面図である。
【図４２】同実施例のホルダ部分の裏面図である。
【図４３】同実施例の図４９における側面図である。
【図４４】本発明の第１５の実施例を示す斜視図である。
【図４５】本発明の第１６の実施例を示す斜視図である。
【図４６】本発明の第１７の実施例のホルダ部分の上面図である。
【図４７】同実施例のホルダ部分の側面図である。
【図４８】同実施例のホルダ部分の正面図である。
【図４９】本発明の第１８の実施例のホルダ部分の上面図である。
【図５０】同実施例のホルダ部分の側面図である。
【図５１】同実施例のホルダ部分の正面図である。
【図５２】本発明の第１０の実施例のホルダ枠部分の斜視図である。
【図５３】同実施例のホルダ部分に携帯電話を保持した正面図である。
【図５４】同実施例のホルダ部分の上面図である。
【図５５】本発明の第２０の実施例を示す斜視図である。
【図５６】本発明の腕携帯電話装置を腕に装着した場合の手首の可動範囲を示す図である。
【図５７】本発明の腕携帯電話装置を心臓から一番遠い腕に装着した図である。
【図５８】本発明の腕携帯電話装置の通話状態を示す図である。
【図５９】スマホを取り付ける本発明実施例２１の説明断面図である。
【図６０】図５９のスマホ取付ケースの斜視図である。
【図６１】本発明実施例２２のスマホを腕方向に保持するものである。
【図６２】図６１の腕を直角に曲げ、画面操作をする図である。
【図６３】本発明実施例２３、自転車でＧＰＳ位置を把握する図である。
【図６４】本発明実施例２４の実施例、スマホを腕方向に操作するものである。
【図６５】本発明第２５の実施例を示す図である。
【図６６】本発明第２６の実施例を示す図である。
【図６７】本発明第２７の実施例を示す図である。
【発明を実施するための形態】
【０００９】
本発明の最良の形態は、第１に、携帯電話を心臓から離れた腕に装着し、その腕に装着した状態のままで携帯電話の機能を成すことができる。
第２に、携帯電話を携帯ホルダへ収容し、腕への装着は、携帯ホルダと一体化させたリストバンドや腕輪あるいはリストベルトによるものである。
第３に、携帯電話は携帯ホルダを腕に装着したままの状態で携帯ホルダとの間での着脱が可能な構造である。
第４に、携帯電話と携帯ホルダとの間に電磁遮蔽板を備えて、携帯電話からの電磁波の飛来を最小限に軽減する。
第５に、本発明の携帯ホルダに携帯電話以外の携帯端末を装着して、腕に装着した状態のまま携帯端末の通常の機能操作を行うことができる。
【００１０】
次に、本発明の実施例について、図面を参照して説明する。
先ず、本発明の第１の実施例を示す図１の如く、携帯電話の保持部１１１を備えるホルダ１１と、ホルダ１１に３〜４個の平ネジ１３で固定して一体化し腕に装着しうる伸縮性のあるリストバンド１２で構成される。このリストバンド１２は、スポーツをする時の腕部分の汗止めのために使用するサポータとほぼ同様である。ホルダ１１とリストバンド１２とは、互いをネジ止めにより取り付け固定し一体化してある。リストバンド１２の伸縮性を利用して手および手首を通して手首に近い部分の腕に装着する。
【００１１】
図２は図１における上面図であり、図３は、図１におけるａ−ｂ線上における断面図であり、図４は図３の点線部分の拡大図である。ホルダ１１とリストバンド１２とは、平ネジ１３およびナット１５によりワッシャ１４を介して結合され一体化される。ホルダ１１の上面は皿削りして平ネジの頭が出ないように沈ませ、リストバンド１２の下面に先ずワッシャを、次に平ネジ１３の端末をカシメ又は薄いナット１５で接着する。
【００１２】
図５は、図１のホルダ１１に携帯電話２００を結合した状態を示す。携帯電話２００の本体下部にホルダ１１の両側にある多少内側に湾曲させた保持部１１１により圧着させて電話器が外れるのを防ぐ。
尚、図１において、ホルダ１１の幅方向の中央に点線で引かれた折り曲げ線１１０は、ホルダ１１を点線１１０を基点として内側あるいは外側に微弱に曲げることにより、携帯電話の微弱な幅の違いや厚さの違いを調整するためのものである。以下の実施例においても同様である。
【００１３】
第２の実施例である図６は、ストッパ２５１，２５２を付けたもので、このストッパ２５１，２５２は、図９の上面図に示すように、携帯電話２００が足許に落ちないようにするためのもので、腕にリストバンドを装着する方向の手先側に設ける。そのため、この実施例の場合、携帯電話のホルダ２１への挿入は、図６、図９のＹ方向から行う。ストッパを２５１，２５２の２つにしたのは、ホルダ２１のベースのほぼ真ん中の折り曲げ線２１０からホルダ２１のベースを折り曲げて保持部２１１の圧迫度を調整し不適合サイズの電話器でも適合させるためである。
【００１４】
第３の実施例である図１０は、ホルダ３１のホルダ爪３１１，３１２，３１３は端を外側にした略Ｓ字形を形成する複数の爪により構成したもので、ストッパ３５１，３５２も同様に外側に略Ｓ字形の爪を形成する。
これらのホルダ爪３１１，３１２，３１３およびストッパ３５１，３５２をバネ性の素材で形成することにより、携帯電話を上方向Ｚから押し込む。その状態が図１１であり、図１１の点線部分を拡大したのが図１２である。ホルダ爪３１１〜３１３をかかる構造にする事により、携帯電話の下部本体２０８はホルダ爪３１１〜３１３のバネ圧により固定される。
【００１５】
従って、この第３の実施例は、Ｓ字形に折り曲げる凸点を低くすれば、薄型の携帯電話にも容易に適用可能である。この薄型携帯電話に対応させた第１１の実施例が図１１，図１２に対応する図３４である。この図３４の拡大図におけるS字形の凸点のホルダベースからの高さｈは、図１２における凸点の高さＨに比べ、より低く設けられる。なお、ホルダ爪３１１〜３１３は、かかる爪状にすることにより手で内側あるいは外側に狭くしたり広くしたりすることで携帯電話本体の幅の違いを簡単に調整できることができる。
【００１６】
第４の実施例である図１３は、第２の実施例である図６のホルダの保持部を、図６と同様に内側に多少湾曲させた複数のホルダ爪４１１，４１２，４１３で形成したもので、その他は第２の実施例と同じである。
なお、ホルダ爪４１１〜４１３は、手で内側あるいは外側に狭くしたり広くしたりすることで携帯電話本体の幅の違いを簡単に調整できることは、第３の実施例における図１０の場合と同様である。
【００１７】
第５の実施例である図１４は、第１の実施例である図１のリストグリップ１２をそれよりは幅狭の２つのリストグリップ５２で構成したもの５１１，５１２で、１つは長手方向の一端へ、もう１つは他端に取り付けてホルダ５１と一体化させる。こうする事により、幅広のリストグリップ１２を１つで構成するよりは、幅狭のリストグリップ５２を２つで構成する方が腕を幅広く包まず美的で腕の蒸れも少なくて済む。他は、第１の実施例の場合と同じである。
【００１８】
第６の実施例である図１７は、リストベルト６２１，６２２で構成するもので、２個のネジ６３によりホルダ６１と結合して一体化し、腕５０２への装着は時計と同様にリストベルト６２１の止め穴６９とリストベルト６２２の止め金６８とにより行なう。星柄６０は、ファッション性をもたせるための模様の例であり、女性でも違和感無く装着できる。
尚、第１〜第５の実施例におけるリストグリップについても、同様の模様等を付してファッション性を持たせてもよい。
【００１９】
第７の実施例である図２０は、第１の実施例である図１のリストグリップ１２の代わりに、それとほぼ同幅のブレスレットタイプの腕輪７２をホルダ７１に取り付け一体化したものである。ブレスレットタイプなので腕との着脱は横に引き抜いて容易に行うことができ、且つ花柄７０等の模様を付せば、よりファッショナブルに腕に装着することができるので、女性でも違和感無く装着が可能となる。
【００２０】
第８の実施例である図２３は、第５の実施例の図１４の場合と同様に、第７の実施例である図２０における幅広の１個の腕輪７２を、幅狭の２個の腕輪８２１，８２２で構成したもので、第５の実施例の場合と同様にそれらの腕輪８２１，８２２をホルダ８１の長手方向の両端に取り付け一体化する。
【００２１】
第９の実施例である図２６は、第８の実施例の図２３および図２４における幅狭の腕輪８２１，８２２をベルクロファスナ９９１，９９２を付したリストベルト９２１，９２２に代えたもので、腕への装着はこのベルクロファスナ９９１，９９２同士を押し合わせることにより行う。星柄９０の模様を付する目的も、第６〜第８の実施例の場合と同様である。
【００２２】
第１０の実施例である図２９は、第１の実施例である図１あるいは図２において、ホルダ１１の上か下に放射能遮蔽板１１０を設けたもので、この放射能遮蔽板を携帯電話とそのホルダとの間に介在させることは他の第２〜第９の実施例においても同様に可能である。また、ホルダ自身の材質を放射能遮蔽材としてもよい。
このように、携帯電話とホルダとの間に放射能遮蔽板を介在させることにより、携帯電話を放射能測定器として兼用させる場合、身体への放射能を防止し、また携帯電話からの電磁波の飛来を軽減できるので、身体への影響、特に心臓のペースメーカを装着する対象者への電磁波の負荷を削減する事ができる。
【００２３】
第１２の実施例である図３５は、携帯電話２００をウレタンベルト８０２−１，８０２−２によりリストバンド８０１と結合して腕に装着するもので、図３６は携帯電話２００を閉じた状態でリストバンド８０１と結合した場合の側面図である。図３７は、携帯電話２００とリストバンド８０１とを結合するための取付け具であり、ウレタンベルト８０２−１，８０２−２を収容するベルトホルダ８０３−１，８０３−２と、一端がベルトホルダ８０３−１に取付け固定されベルクロファスナ８０６が付された他端がベルトホルダ８０３−２の取付け穴を通して折返され中央付近でベルクロファスナ８０５と結合するリストベルト８０４とから構成される。
【００２４】
ウレタンベルト８０２−１，８０２−２の携帯電話への長手方向への取付け位置は、ベルクロファスナ８０５、８０６の結合位置をずらす事により調整可能である。また、ウレタンベルト８０２−１，８０２−２は伸縮性があり且つ丈夫なので、携帯電話下部本体２０８の厚さの違いにも容易に対応可能である。このように、携帯電話の本体下部２０８をウレタンベルト８０２−１，８０２−２で取付けると携帯電話の両サイドが隠れることがないので、両サイドに設けられている拡張等機能部が携帯電話を装着した状態で、そのまま使える。
【００２５】
第１３の実施例である図３８は、リストバンド９０１と基板９０２とを４つの平ネジ９０３で結合したものの基板９０２の裏側に両サイドが略Ｌ字型に折り曲げられたバネ性の針金枠９０４を例えば溶接で取付けたものである。
針金枠９０４の両サイドに付けられたチューブ９０５−１，９０５−２は、この枠内に携帯電話を保持したときに携帯電話の側面に接する部分に取付けたゴム製のもので、携帯電話を保持するときの保持性を良くするためのものである。
また、基板９０２の長手方向の両端に例えば溶接付した板バネ９０７−１，９０７−２は、携帯電話の下部本体２０８の厚みの違いを調整するためのもので、厚みが厚い場合は上から板バネを押すようにして嵌めるようにする。
【００２６】
図３９は、図３８の携帯ホルダに携帯電話２００を嵌めた状態を示し、この状態で腕に装着される。
この実施例においても、携帯電話の本体下部２０８を針金枠９０４で固定するため、携帯電話の両サイドが隠れることがないので、両サイドに設けられている拡張等機能部が携帯電話を装着した状態で、そのまま使える。
【００２７】
第１４の実施例である図４０〜図４２は、図４０に示すように基板７２０の表面に携帯電話の厚みの違いを調整するための板バネ７２３−１，７２３−２を取り付け、裏面にはリストベルト７２４を通すベルト通し棒７２５−１，７２５−２とホルダ棒７２１−１，７２１−２を通す４つのホルダ棒固定足７２６−１〜７２６−４を例えば溶接付けで取付ける。ホルダ棒７２１−１の両端はホルダ棒固定足７２６−１と７２６−３を通した後カギ状に折り曲げ、同様にホルダ棒７２１−２の両端はホルダ棒固定足７２６−２と７２６−４を通した後カギ状に折り曲げられる。そして、ホルダ棒７２１−１と７２１−２とはカギ状に折り曲げられたところでバネリング７２７−１と７２７−２とで結合される。
【００２８】
このバネリング７２７−１，７２７−２の伸び縮みによりホルダ棒７２１−１と７２１−２との間に嵌め込まれる携帯電話の幅の違いを調整する。携帯電話の厚みの違いの調整は、第１２の実施例における図３８，図３９の場合と同様、板バネ７２３−１，７２３−２により行う。補助ベルト７２９は、リストベルト７２４がベルト通し棒７２５−１，２からずれ落ちないようにするためのもので、リストベルト７２４とは例えばベルクロファスナ７２８で結合する。
【００２９】
第１５の実施例である図４４は、携帯電話のホルダ部分を針金のみで形成したもので、チューブ７３３−１，２を被せたホルダ棒７３１−１，２と、湾曲したバネ棒７３０−１，２と、リストベルト７３４を通すベルト通し棒７３２−１，２とから構成される。ホルダ棒７３１−１，２とチューブ７３３−１，２の機能は、第１３の実施例における図３８，図３９の場合と同じである。バネ棒７３０−１，２は、第１３の実施例における図３８の板バネ９０７−１，２および第１４の実施例における図４０の板バネ９０７−１，２に代わるもので、バネ性の湾曲部分の湾曲度合いが変わることにより、携帯電話の厚みの違いを調整するものである。
【００３０】
第１６の実施例である図４５は、第１２の実施例である図３６，図３７の別の形態であり、ウレタンベルト７４１−１，２をスリット７４２−１〜４の部分で基板７４０の長手方向の両端で取り付け固定したものである。携帯電話は伸縮自在なウレタンベルト７４１−１，２で保持されるので、携帯電話の厚みや幅に違いは、すべてウレタンベルトの伸縮により調整できるのは、第１２の実施例の場合と同じである。
【００３１】
第１７の実施例である図４６〜図４８は、基板８５０の長手方向の両端にリストベルト８５３を通すスリット８５２−１，８５２−２を設け、さらに基板の長手方向の両端をウレタンベルト８５１−１，８５１−２を４つの切り欠き部分８５５−１〜４を通してウレタンベルトを保持する。リストベルト８５３は、図４７に示すようにスリット８５２−１，８５２−２を通したときにベルトが基板の下側になるようにし、ベルクロファスナ８５４−１，８５４−２を押し合わせて腕に装着する。腕に装着する前にウレタンベルト８５１−１，８５１−２により携帯電話を本体下部２０８部分で固定することは、第１２の実施例である図３５の場合と同様である。
【００３２】
第１８の実施例である図４９〜図５１は、第１７の実施例である図４６と同様に基板８６０にウレタンベルト８６１−１，８６１−２を取り付けた後、ベルクロファスナ８６４−１，８６４−２を付した取付ベルト８６３を４つの平ネジ８６２で取付固定したものである。
【００３３】
第１９の実施例である図５２〜図５４は、ホルダ棒８７１−１，８７１−２とバネ棒８７０−１，８７０−２とから成る１本の針金から形成された枠の両側のホルダ棒部分にリストベルト８７２−１，８７２−２を引っ掛けるように取付固定したものである。バネ棒８７０−１，８７０−２を湾曲させたのは、第１６の実施例における図４４の場合と同様である。
【００３４】
図５５〜図５８は腕携帯電話の装着状態を示すものである。この装着の状態で携帯電話２００をバイブレータのマナーモードに設定しておいても、着信があるとバイブレータの振動がリストベルト１２を通して直接腕５０２に伝わるので、すばやく着信を認識できるとともに、本体上部２０７の画面２０４部分を開いてその着信内容を腕に装着したままの状態で確認することができるとともに、その状態のまま図５６に示すように通話をしたり携帯電話を装着した反対側の手で、キー操作等を行うことも可能である。キー操作による時間のかかる複雑な作業が必要なときは、携帯電話をホルダから簡単に直ちに外すことができるので、単体の携帯端末と同様の操作を行うことも可能である。
【００３５】
以上説明したように、携帯電話を腕に装着すると、バイブレータの着信振動が腕に直接伝わるので、微弱な振動でも着信を感知することができるため、バイブレータの振動を予め小さく設定することによりバイブレータによる消費電流を節減することができ、携帯電話本体のバッテリの消耗を抑えることが可能である。また、待ち受け時には、図５５に示すように携帯電話２００は心臓５０８からＬの距離だけ離れるため、携帯電話が胸ポケットに収納されている場合のように、携帯電話から発せられる電磁波が直接心臓に届くようなことはないので、ペースメーカを装着しているような場合でも、それへの負荷は少なくて済む。
【００３６】
次に、図５４は、装着状態で手が上下大きな角度で自由に動かすことができることを示し、右手による筆記業務や手作業を不自由なく行うことができる。本発明の特徴を説明する他の第１の図である。
また、以上の実施例における腕携帯電話は、携帯電話のみを装着に対象にして説明したが、例えば第２０の実施例である図５３に示すように、ホルダに開閉型の携帯端末３００を搭載しても、左側に装着した状態のままで右手によりキー操作等による文字入力やデータ送受信等の作業を行うことも可能である。図５４は本発明の特徴を説明する他の第２の図である。
【００３７】
図５５と図５６は実際の使用状態を示す図である。図５７は心臓から離して腕携帯電話を操作する状態を示し、図５８は携帯電話を手首につけた状態で通話をしている状態を示す。
図５７と図５８は本発明の使用状態を示す図である。図５７は腕携帯電話を心臓から離した図、図５８は腕携帯電話を使用中の様子を示している。
【００３８】
図５９はスマホを腕につけた第２０実施例で、プラスティックスマホケース１０４０をリストバンド１２，６２１，７２などに示すケース孔１０４１に通
した糸１０４２で取り付け固定し、ケース１０４０にスマホ１０４３をカチッとはめる。
【００３９】
図６０は前記ケース１０４０の斜視図（第２１実施例）で、両側にチャック部１０４４があり、このコーナー１０４５は曲線で囲む形とし、水平部分に多数の小さい孔１０４１（ここに糸１０４２を通し、リストバンド等と結合する）カメラレンズ用孔１０４６立ち上がり部分に音声ボリューム用孔１０４６を設ける。
【００４０】
図６１はスマホ１０４３を腕５０４の高さと同方向に設けた場合で、手首１０５１をほぼ直角な形で曲げてカメラ撮影ができる。図６２の如く腕５０４をほぼ直角に曲げ、スマホ画面のキーボード１０４８など画面操作を横に力いっぱいに拡げると（１０５２）、右手５０１で容易に操作することができる。図６３は本発明第２２実施例で、自転車に乗り、両手５０６，５０１でハンドル１０４７を握って両手が下がっても、運転者の目の前にスマホＧＰＳ画面１０５０が来るので、自転車を便利に誘導することができる。
【００４１】
図６４は本発明第２２実施例で、腕５０４の方向に対し直角にスマホ１０４３を設けたものである。この方向が腕５０４を曲げずに画面が見やすく、また腕を曲げずに画面が見やすく、また腕を曲げずに画面操作や手５０６を曲げずにカメラ撮影ができる。
【００４２】
図６５は本発明第２３実施例で、ボデイ側面にリストバンド１０５４用取付具１０５３を設けたスマホ１０５５で、これによりスマホケース１０４０無しにスマホを手首につけられる。図６６は本発明第２４実施例であり、ボデイ底面にリストバンド１０５４用取付具１０５６を設けたスマホ１０５７である。
【００４３】
図６７は本発明の第２５実施例であり、左右にリストバンド取付具１０５８を有するプレート１０５９にクッション性両面テープ１０６４を接着したものである。クッション両面テープ１０６４とは図に示すように、発泡ウレタンシート等のキャリア１０６１の両面に感圧性接着剤１０６０及び１０６２をコーティングしたもので、その片面にリリースライナ１０６３を貼り合わせてなる。
【００４４】
これを使用するには、リリースライナ１０６３をはがしてスマホの底面に貼り付ける。このようにすれば、図６６のスマホ１０５７と同様にスマホを得ることができる。
なお、本発明は携帯電話や端末器等用ホルダ単体でも、また携帯電話又は端末器等に腕取付具をつけた状態のものでも、いずれも本発明に含まれるものである。
【産業上の利用可能性】
【００４５】
本発明は、手首に取り付ける携帯電話のみならず、その他の通信端末にも利用することができ、これらも本発明に含まれるものである。
【符号の説明】
【００４６】
１１、２１、３１、４１、５１、６１、７１、８１、９１  、１０１  ホルダ
１２、２２、３２、４２、１０２    リストバンド
１３、２３、３３、４３、５３、６３、７３、８３、９３、１０３    平ネジ
１４、２４、５４、６４、７４、８４、９４、１０４    ワッシャ
１５、２５、５５、６５、７５、８５、９５、１０５    ナット
６０、９０    星柄
６７    ベルト止め
６８    止め金
６９    止め穴
７２    腕輪
７０、８０    花柄
１１１、２１１、５１１、６１１、７１１、８１１、９１１、１０１１  保持部
１１０    ホルダ中央曲げ線
１１２    放射能又は電磁遮蔽板
２００    携帯電話
２０１    カメラレンズ
２０２    ヒンジ
２０３    充電端子
２０４    画面
２０５    受話口
２０６    送話口
２０７    上部本体
２０８    下部本体
２５１、２５２、３５１、３５２、４５１、４５２  ストッパ
３００    携帯端末
３０１    表示画面
３０２    操作面
３０３    ヒンジ
３１１、３１２、３１３、４１１、４１２、４１３    ホルダ爪
５０１    右手
５０２、５０３    右腕
５０４、５０５    左腕
５０６    左手
５０７    左耳
５０８    心臓
５２１、５２２    リストバンド
６００    鉛筆
６２１、６２２    リストベルト
７００    薄型携帯電話
７０２    リストバンド
７０３    充電端子
７１０    ホルダ
７２０，７４０    基板
７２１−１，２、７３１−１，２    ホルダ棒
７２２−１，２、７３３−１，２    チューブ
７２３−１、７２３−２    板バネ
７２４、７３４、７４５    リストベルト
７２５−１，２、７３２−１，２    ベルト通し棒
７２６−１〜４    ホルダ棒固定足
７２７−１，２    バネリング
７２８−１，２、７３６−１，２、７４６−１，２    ベルクロファスナ
７２９、７３５、７４７    補助ベルト
７３０−１，２    バネ棒
７４１−１，２    ウレタンベルト
７４２−１〜４    切り欠き
７４４−１，２、７４８−１，２    ベルト通し棒
７５１    ホルダ爪
８０１    リストバンド
８０２−１、８０２−２    ウレタンベルト
８０３−１、８０３−２    ベルトホルダ
８０４    ホルダベルト
８２１、８２２    腕輪
８０５、８０６    ベルクロファスナ
８５０、８６０    基板
８５１−１，２、８６１−１，２    ウレタンベルト
８５２−１，２    スリット
８５３、８６３    取付ベルト
８５４−１，２、８６４−１，２    ベルクロファスナ
８５５−１〜４    切り欠き
８８６−２    平ネジ
８６５    ナット
８６５−１〜４    切り欠き
８７０−１，２    バネ棒
８７１−１，２    ホルダ棒
８７２−１，２    リストベルト
８７３−１，２    ベルクロファスナ
９０１    リストバンド
９０２    基板
９０３    平ネジ
９０４    針金枠
９０５−１，９０５−２    チューブ
９２１、９２２    リストベルト
９９１、９９２    ベルクロファスナ
１１０、２１０、３１０、４１０、５１０、６１０、７１０、８１０、９１０、１０２０    折り曲げ線
１０３０    手首の可動範囲
１０４１    スマホケース孔
１０４２    ケース１０４０とリストバンド１２，６２１，７２などを結合する糸
１０４３  スマホ
１０４４  ケース１０４２の両側の立ち上げ部
１０４５  ケース１０４２のコーナーの曲面立ち上げ部
１０４６  ケース水平部のカメラレンズ用孔
１０４７  ケース立ち上げ部１０４４に設けた音声ボリューム用孔
１０４８  スマホ画面の下部に出たキーボード
１０４９  自転車ハンドル
１０５０  スマホＧＰＳ画面
１０５１  手首
１０５２  スマホ画面全面に全横幅に出たキーボード
１０５３  スマホの横に付けた腕バンド取付具
１０５４  リストバンド
１０５５  リストバンド取付具を側面に設けたスマホ
１０５６  スマホの底に付けた腕バンド取付具
１０５７  腕バンドを底に付けたスマホ
１０５８  腕バンド１０５４取付部
１０５９  腕バンド取付部１０５８のベースプレート
１０６０  発泡ウレタンシート等クッション材
１０６２  感圧性接着剤
１０６３  リリースライナ
１０６４  両面テープ
【図１】
2015002360.tif 000003
【図２】
2015002360.tif 000004
【図３】
2015002360.tif 000005
【図４】
2015002360.tif 000006
【図５】
2015002360.tif 000007
【図６】
2015002360.tif 000008
【図７】
2015002360.tif 000009
【図８】
2015002360.tif 000010
【図９】
2015002360.tif 000011
【図１０】
2015002360.tif 000012
【図１１】
2015002360.tif 000013
【図１２】
2015002360.tif 000014
【図１３】
2015002360.tif 000015
【図１４】
2015002360.tif 000016
【図１５】
2015002360.tif 000017
【図１６】
2015002360.tif 000018
【図１７】
2015002360.tif 000019
【図１８】
2015002360.tif 000020
【図１９】
2015002360.tif 000021
【図２０】
2015002360.tif 000022
【図２１】
2015002360.tif 000023
【図２２】
2015002360.tif 000024
【図２３】
2015002360.tif 000025
【図２４】
2015002360.tif 000026
【図２５】
2015002360.tif 000027
【図２６】
2015002360.tif 000028
【図２７】
2015002360.tif 000029
【図２８】
2015002360.tif 000030
【図２９】
2015002360.tif 000031
【図３０】
2015002360.tif 000032
【図３１】
2015002360.tif 000033
【図３２】
2015002360.tif 000034
【図３３】
2015002360.tif 000035
【図３４】
2015002360.tif 000036
【図３５】
2015002360.tif 000037
【図３６】
2015002360.tif 000038
【図３７】
2015002360.tif 000039
【図３８】
2015002360.tif 000040
【図３９】
2015002360.tif 000041
【図４０】
2015002360.tif 000042
【図４１】
2015002360.tif 000043
【図４２】
2015002360.tif 000044
【図４３】
2015002360.tif 000045
【図４４】
2015002360.tif 000046
【図４５】
2015002360.tif 000047
【図４６】
2015002360.tif 000048
【図４７】
2015002360.tif 000049
【図４８】
2015002360.tif 000050
【図４９】
2015002360.tif 000051
【図５０】
2015002360.tif 000052
【図５１】
2015002360.tif 000053
【図５２】
2015002360.tif 000054
【図５３】
2015002360.tif 000055
【図５４】
2015002360.tif 000056
【図５５】
2015002360.tif 000057
【図５６】
2015002360.tif 000058
【図５７】
2015002360.tif 000059
【図５８】
2015002360.tif 000060
【図５９】
2015002360.tif 000061
【図６０】
2015002360.tif 000062
【図６１】
2015002360.tif 000063
【図６２】
2015002360.tif 000064
【図６３】
2015002360.tif 000065
【図６４】
2015002360.tif 000066
【図６５】
2015002360.tif 000067
【図６６】
2015002360.tif 000068
【図６７】
2015002360.tif 000069
【手続補正書】
【提出日】平成26年6月9日(2014.6.9)
【手続補正１】
【補正対象書類名】特許請求の範囲
【補正対象項目名】請求項１
【補正方法】変更
【補正の内容】
【請求項１】
手首付近にホルダを介してスマホ（携帯端末）を取り付ける構成のものであって、スマホ（携帯端末）にＧＰＳ機能を付加するとともに、ホルダとスマホ（携帯端末）との間に放射能遮蔽板を設けたことを特徴とする画面操作しやすい腕携帯端末。
【手続補正３】
【補正対象書類名】明細書
【補正対象項目名】０００４
【補正方法】変更
【補正の内容】
【０００４】
本発明によるスマホ（携帯端末）は、画面操作がし易く腕に装着して携帯し、自由に両手が使え、そのため手首が自由に折り曲がり得るように、且つ前記装着状態でスマホ（携帯端末）機能を成すことであり、第２は装着携帯状態のスマホ（携帯端末）を実行できるように画面部分が腕にほぼ直角になるようにし得ることであり、第３は放射能測定ができることである。